(57)【要約】【課題】  エンドレスチェーンの撓みの発生を防止し、エンドレスチェーンがロック状態となった場合に簡単に走行を停止できる吸殻回収装置を提供する。【解決手段】  吸殻受け部３と、吸殻受け部３に溜まった吸殻を吸殻受け部３の一端部に移送する吸殻移送手段と、吸殻受け部３の一端部に設置され吸殻を収容する吸殻収容手段と、からなり、  吸殻移送手段は、吸殻受け部３の両端部を結ぶように配置されたエンドレスチェーン２と、エンドレスチェーン２を架装する複数のスプロケット１０，１２，１２’と、エンドレスチェーン２に固定された吸殻捕集部材と、を有し、さらに、  エンドレスチェーン２を付勢する付勢手段１３を有する可動スプロケット１１と、可動スプロケット１１が付勢力に抗して所定距離押し戻されたときに可動スプロケットにより入力される位置を検知してエンドレスチェーン２の走行を停止する走行停止手段１６と、を有する。【選択図】      図４
2005137695.tif 000002
【特許請求の範囲】
【請求項１】
複数のパチンコ台を載置する台座の天板の下部に設けられ該天板を貫通する複数の投入口から落下する吸殻を受ける吸殻受け部と、該吸殻受け部に溜まった吸殻を該吸殻受け部の一端部に移送する吸殻移送手段と、該吸殻受け部の一端部に設置され該吸殻移送手段により移送された吸殻を収容する吸殻収容手段と、からなる吸殻回収装置であって、
前記吸殻移送手段は、前記吸殻受け部の両端部を結ぶように配置されたエンドレスチェーンと、該エンドレスチェーンを架装する複数のスプロケットと、該エンドレスチェーンに固定された吸殻捕集部材と、を有し、さらに、
前記エンドレスチェーンを付勢する付勢手段を有する可動スプロケットと、該可動スプロケットが該付勢手段の付勢力に抗して所定距離押し戻されたときに該可動スプロケットにより入力される位置を検知して該エンドレスチェーンの走行を停止する走行停止手段と、を有することを特徴とする吸殻回収装置。
【請求項２】
前記走行停止手段は、リミットスイッチである請求項１記載の吸殻回収装置。
【請求項３】
前記付勢手段は、バネである請求項１または２記載の吸殻回収装置。
【請求項４】
前記スプロケットの一つは、モータにより回転駆動される駆動スプロケットである請求項１〜３のいずれかに記載の吸殻回収装置。
【発明の詳細な説明】
【技術分野】
【０００１】
本発明は、複数のパチンコ台を有する遊戯施設などで用いられる、灰皿に捨てられた吸殻やゴミを自動的に回収する吸殻回収装置に関する。
【背景技術】
【０００２】
パチンコ台に取り付けられる灰皿は、複数のパチンコ台の個々に取り付けられるが、通常、吸殻回収の手間を考慮して、個々の灰皿から落下した吸殻を自動的に回収する吸殻回収装置が用いられている。
【０００３】
吸殻を自動的に回収する吸殻回収装置の一例として、特許文献１に開示された吸殻回収装置がある。特許文献１の吸殻回収装置では、灰皿から落下した吸殻を受ける吸殻受け桶と、吸殻受け桶にたまった吸殻を吸殻受け桶の一端に移送する吸殻移送装置と、を有し、移送された吸殻を吸殻受け桶の一端より回収する。そして、吸殻移送手段は、吸殻受け樋の両端に垂直に軸支されたスプロケットホイールにより張設されたエンドレスチェーンと、そのエンドレスチェーンに取り付けられ吸殻受け樋の底面に接触して回転する捕集板と、からなり、吸殻は、エンドレスチェーンにより回転移動する捕集板に押されて、吸殻受け桶の一端へ移送される。
【０００４】
ところが、エンドレスチェーンを用いた上記のような装置では、灰皿からの異物の投入や捕集板の脱落などにより、エンドレスチェーンの回転が妨げられ、走行が停止することがある。そして、エンドレスチェーンが無理に停止させられる（以後「ロック状態」とする）と、エンドレスチェーンに大きな張力が加わってチェーンが破損したり、また、スプロケットホイールがモータにより駆動される場合には、モータが損傷する可能性がある。そのため、特許文献１の吸殻回収装置では、モータにより駆動されるスプロケットホイールの回転を、回転制御装置により制御する。回転制御装置は、モータの電圧変化によりエンドレスチェーンのロック状態を検出すると、モータの回転を電気的に制御して、回転方向を変更したり回転を停止したりすることで、吸殻回収装置の損傷を防いでいる。
【特許文献１】特開平９−２１５８４３号公報
【発明の開示】
【発明が解決しようとする課題】
【０００５】
しかしながら、上記の回転制御装置は、モータの回転を電気的に制御するため、電気回路が複雑となる。そのため、吸殻回収装置の保守・点検作業では、回転制御装置の電気回路の点検に多大な時間を費やすこととなる。さらに、これまでのエンドレスチェーンを用いた吸殻回収装置には、エンドレスチェーンに伸びが生じた場合に発生する撓みに対する解決手段が講じられていなかった。
【０００６】
そこで、本発明は、エンドレスチェーンを有する吸殻回収装置において、エンドレスチェーンに発生する撓みの影響をなくすとともに、エンドレスチェーンに不具合が生じてロック状態となった場合に簡単な制御方法で走行を停止することができる吸殻回収装置を提供することを目的とする。
【課題を解決するための手段】
【０００７】
本発明の吸殻回収装置は、複数のパチンコ台を載置する台座の天板の下部に設けられ該天板を貫通する複数の投入口から落下する吸殻を受ける吸殻受け部と、該吸殻受け部に溜まった吸殻を該吸殻受け部の一端部に移送する吸殻移送手段と、該吸殻受け部の一端部に設置され該吸殻移送手段により移送された吸殻を収容する吸殻収容手段と、からなる吸殻回収装置であって、
前記吸殻移送手段は、前記吸殻受け部の両端部を結ぶように配置されたエンドレスチェーンと、該エンドレスチェーンを架装する複数のスプロケットと、該エンドレスチェーンに固定された吸殻捕集部材と、を有し、さらに、
前記エンドレスチェーンを付勢する付勢手段を有する可動スプロケットと、該可動スプロケットが該付勢手段の付勢力に抗して所定距離押し戻されたときに該可動スプロケットにより入力される位置を検知して該エンドレスチェーンの走行を停止する走行停止手段と、を有することを特徴とする。
【０００８】
本発明の吸殻回収装置において、前記走行停止手段は、リミットスイッチであるのが好ましい。また、付勢手段は、バネであるのが好ましい。さらに、前記スプロケットの一つは、モータにより回転駆動される駆動スプロケットであるのが好ましい。
【発明の効果】
【０００９】
本発明の吸殻回収装置は、エンドレスチェーンを付勢する付勢手段を有する可動スプロケットにより、エンドレスチェーンを緊張状態に保つことができるため、長期間の使用により生じるエンドレスチェーンの撓みを実質的に取り除くことができる。
【００１０】
また、可動スプロケットが付勢手段の付勢力に抗して所定距離押し戻されたときに、可動スプロケットにより入力される位置を検知してエンドレスチェーンの走行を停止する走行停止手段により、エンドレスチェーンに不具合が生じてロック状態となった場合に、簡単な機構で、エンドレスチェーンの走行を停止することができる。そのため、ロックによる吸殻回収装置の故障を回避することができる。さらに、走行停止手段は、可動スプロケットと同じ場所に組み付けることができるため、大きな設置場所を必要としない。
【００１１】
また、本発明の吸殻回収装置において、走行停止手段は、可動スプロケットが所定の位置に達したときにエンドレスチェーンの走行を停止するリミットスイッチであるのが好ましく、リミットスイッチを用いた簡単な制御によりエンドレスチェーンの走行を停止することができる。
【発明を実施するための最良の形態】
【００１２】
以下に本発明の吸殻回収装置の実施の形態を説明する。
【００１３】
本発明の吸殻回収装置は、複数のパチンコ台を有する通常の遊戯施設などで用いられる吸殻回収装置であって、吸殻受け部と、吸殻移送手段と、吸殻収容手段と、からなる。
【００１４】
吸殻受け部は、複数のパチンコ台を載置する台座の天板の下部に設けられ、その天板を貫通する複数の投入口から落下する吸殻を受ける。通常、遊戯施設においては、複数のパチンコ台が台座の天板の上に並列載置され、個々のパチンコ台毎に灰皿が設置される。そのため、台座の天板には、天板を貫通する複数の投入口が形成される。そして、吸殻受け部は、それぞれの投入口から落下する吸殻などのゴミを受ける。したがって、吸殻受け部は、台座の全長に渡って形成される、長尺状の容器であるのが望ましい。
【００１５】
吸殻移送手段は、吸殻受け部に溜まった吸殻を吸殻受け部の一端部に移送する。そして、吸殻移送手段は、吸殻受け部の両端部を結ぶように配置されたエンドレスチェーンと、エンドレスチェーンを架装する複数のスプロケットと、エンドレスチェーンに固定された吸殻捕集部材と、を有する。
【００１６】
複数のスプロケットは、エンドレスチェーンを走行する際に通常用いられるスプロケットであればよく、その大きさ等は、設置する位置に合わせて適宜選択すればよい。そして、スプロケットのうちの一つは、モータにより回転駆動される駆動スプロケットであるのが好ましい。すなわち、エンドレスチェーンは、駆動スプロケットの回転駆動により走行されるのが好ましい。
【００１７】
また、吸殻捕集部材は、エンドレスチェーンに固定され、エンドレスチェーンの走行とともに移動する形式であれば、その大きさや形状および個数に特に限定はない。たとえば、投入口より落下する吸殻を直接受ける形式や、吸殻受け部の底面にたまった吸殻を吸殻捕集部材の一部分で押しながら移送する形式でもよい。また、吸殻捕集部材は、皿状、板状、ブラシ状など、吸殻捕集部材の移動により吸殻などのゴミを移送できる形態であれば特に限定はない。
【００１８】
本発明の吸殻回収装置は、エンドレスチェーンを付勢する付勢手段を有する可動スプロケットと、エンドレスチェーンの走行を停止する走行停止手段と、を有する。
【００１９】
可動スプロケットは、付勢手段を有し、付勢手段によりエンドレスチェーンを付勢する。可動スプロケットにより、エンドレスチェーンを緊張状態に保つことができ、長期間の使用により生じるエンドレスチェーンの撓みを実質的に取り除くことができる。
【００２０】
エンドレスチェーンを付勢する付勢手段としては、エンドレスチェーンに付勢力を与えることができれば特に限定はないが、バネであるのが好ましい。そして、可動スプロケットは、バネ等の付勢力により移動する際の案内となるガイド部材を有するのが望ましい。
【００２１】
また、走行停止手段は、可動スプロケットが付勢手段の付勢力に抗して所定距離押し戻されたときに可動スプロケットにより入力される位置を検知してエンドレスチェーンの走行を停止する。エンドレスチェーンは、エンドレスチェーンに異物が挟まったりなどしてロック状態となっても走行を続けようとする。この際、エンドレスチェーンは、可動スプロケットの付勢手段により付勢されているので、付勢力に抗して可動スプロケットを押し戻すことにより、ロック状態であっても、しばらくは走行を続けられる。その後、可動スプロケットは、所定距離押し戻され、その位置を検知してエンドレスチェーンの走行を停止することができる。したがって、簡単な構成により、エンドレスチェーンのロックにより発生するエンドレスチェーンの破損や、エンドレスチェーンの駆動源の損傷といった、吸殻回収装置の故障を回避することができる。
【００２２】
また、複数のスプロケットのうちの一つがモータにより回転駆動される駆動スプロケットである場合には、エンドレスチェーンがロック状態となった際に、走行停止手段により、モータを停止すればよい。そのため、エンドレスチェーンがロックされたままの状態でモータが駆動し続けることがないので、モータの損傷を回避できる。
【００２３】
さらに、上述のように、本発明において、走行停止手段は、エンドレスチェーンに付勢力を与える可動スプロケットと別々の機構となっているものではない。そのため、走行停止手段と可動スプロケットとを同じ場所に組み付けることができる。したがって、大きな設置場所を必要としない。
【００２４】
また、走行停止手段は、可動スプロケットが所定の位置に達したときにエンドレスチェーンの走行を停止するリミットスイッチであるのが好ましい。リミットスイッチを用いることにより、簡単な制御によりエンドレスチェーンの走行を停止することができる。なお、スプロケットの一つがモータにより回転駆動される駆動スプロケットであるときには、可動スプロケットがリミットスイッチに一旦接触した場合、任意の操作で、モータの停止状態が解除されないような回路形態とするのが望ましい。この際、可動スプロケットがバネ等の付勢手段により押し戻される作用によって生じる振動で、可動スプロケットとリミットスイッチの接点跳動（ＯＮ／ＯＦＦの繰り返し）があったとしても、不具合が生じない。そして、モータにチャタリングを起こすことなくモータを停止できるので、モータ部が発熱することなく、モータの損傷を防止できる。
【００２５】
また、吸殻収容手段は、吸殻受け部の一端部に設置され、吸殻移送手段により吸殻受け部の一端部へ移送された吸殻を収容する。吸殻収容手段は、その形状や大きさに特に限定はなく、一般的に用いられている形式でよい。たとえば、消火水を蓄える水槽からなるのが好ましい。
【００２６】
さらに、上記の他にも、吸殻受け部の煙を取り除く排煙手段や、吸殻収容手段において水槽に空気を吹き込み落下したゴミを速やかに水没させるためのエアポンプなどを、適宜設置してもよい。
【実施例】
【００２７】
以下に、本発明の吸殻回収装置の実施例を図面を用いて説明する。
【００２８】
（実施例１）
実施例１の吸殻回収装置を図１〜図５を用いて説明する。
【００２９】
図１および図２は、本実施例の吸殻回収装置の全体図を模式的に示している。本実施例において、複数のパチンコ台Ｐは、天板３３と、天板３３を支える脚部材である側部３１，３２からなる台座３０に載置される。なお、側部３１は、その内部に、回収された吸殻を消火して収容する水槽４を有する。
【００３０】
天板３３には、灰皿Ａを取り付ける灰皿取付け穴３６が、各パチンコ台毎に、天板３３を上下に貫通するように形成されている。天板３３の下部には、灰皿Ａから落下した吸殻Ｃなどを受ける吸殻受け部３が設けられている。
【００３１】
吸殻受け部３は、天板３３の全長に渡って設置された、長尺状の容器であって、側部３１側の一端は開口して側部３１の上部に連結されている。図３は、吸殻受け部３の断面図である。吸殻受け部３は、天板３３に固定される上側部材３３３と、上側部材３３３とボルト３４とナット３５の螺合により連結されている背面部材３３２と、一端部が上側部材３３３と当接し他端部が背面部材３３２の下部に嵌合して吸殻受け部の底面および前面を形成する正面部材３３１と、からなる。なお、上側部材３３３と正面部材３３１との当接部は、部分的にボルトとナットで固定される。
【００３２】
上側部材３３３は、天板３３に形成された灰皿取り付け穴３６と重なる位置に、灰皿取り付け穴３６と同一形状の複数の貫通穴３３６を有する（図２参照）。また、上側部材３３３と背面部材３３２には、それぞれ、エンドレスチェーン２を案内するガイド溝３２２が形成されている。したがって、吸殻受け部３は、その内面の背面側に、上下二本のガイド溝３２２が平行に形成されている。
【００３３】
また、図２に示すように、吸殻受け部３の側部３２側の一端部には、第一固定スプロケット１２が固定されている。側部３１には、モータＭにより回転駆動する駆動スプロケット１０が固定されている。これらのスプロケット１０，１２は、その上部が互いに同じ高さに位置するように設置される。そして、エンドレスチェーン２は、ガイド溝３２２に案内されて第一固定スプロケット１２と駆動スプロケット１０に張設される。
【００３４】
本実施例では、駆動スプロケット１０は、反時計回りに駆動される。すなわち、エンドレスチェーン２は、反時計回りに走行する。なお、エンドレスチェーン２は、上記スプロケット１０，１２に加え、後述する可動スプロケット１１および第二固定スプロケット１２’を介して張設される。
【００３５】
エンドレスチェーン２には、複数個の捕集板２２が等間隔に固定される（図２参照）。捕集板２２は板状で、エンドレスチェーン２の側方に固定されたＬ字型の固定部材２４を介して、吸殻受け部３の底面に対して垂直となるように、螺子２５により固定される（図３）。そして、吸殻受け部３の底面と接触する捕集板２２の底部は、吸殻受け部３の底面の断面形状と同一形状となっている。そのため、捕集板２２は、エンドレスチェーン２の走行とともに、その底部を吸殻受け部３の底面に摺接しながら移動する。
【００３６】
エンドレスチェーン２に固定された捕集板２２は、エンドレスチェーン２の走行に伴って、吸殻受け部３の内部を回転移動する。この際、捕集板２２は、吸殻受け部３の底面と摺接しながら移動する。エンドレスチェーン２は反時計回りに走行するため、捕集板２２は、吸殻受け部３の底面と摺接するときには図２の左側から右側へと移動するため、吸殻受け部３の底面にたまった吸殻などのゴミは、側部３１側へと移送される。移送されたゴミは、吸殻受け部３の一端から落下し、吸殻受け部３の下方に形成された斜面２０に案内され、水槽４に収容される（図２の矢印Ｚ参照）。
【００３７】
次に、エンドレスチェーン２を走行・停止させる走行制御部１について、図４および図５を用いて説明する。
【００３８】
走行制御部１は、エンドレスチェーン２を付勢するスプリング１３を有する可動スプロケット１１と、可動スプロケット１１の先端部に位置するリミットスイッチ１６と、からなる。
【００３９】
可動スプロケット１１は、円柱部材１１０の外周面に所定の隙間をもって回転可能に固定されている。円柱部材１１０の一端面には、円柱部材１１０よりも小径の棒状部材１１６が同軸的に、円柱部材１１０と一体的に形成されている。また、棒状部材１１６には、スプリング１３が嵌挿される。
【００４０】
円柱部材１１０は、円柱部材１１０の外周面と同一の曲率の内周面を有するガイド部材１１１の内部に、摺動可能に保持される。ガイド部材１１１は、その一端部に円筒形のシリンダ１１３を有する。シリンダ１１３の内部には棒状部材１１６と棒状部材１１６に嵌挿されたスプリング１３とが収納され、シリンダ１１３からスプリング１３が突出しないように、スプリング１３の一端がシリンダ１１３に固定されている。
【００４１】
そして、ガイド部材１１１およびシリンダ１１３は、ガイド部材１１１と一体的に形成された留め具１１９により台座３０の側部３１に固定される。固定の際には、側部３１の上方に設置されたリミットスイッチ１６が、棒状部材１１６の軸線上に位置するように設置する。
【００４２】
なお、可動スプロケット１１は、駆動スプロケット１０と第二固定スプロケット１２’との間に位置する。第二固定スプロケット１２’は、側部３１の内面に回転可能に固定されている。第二固定スプロケット１２’は、吸殻受け部３の側部３１側の端部から延出するエンドレスチェーン２のうち下側のエンドレスチェーン２を、吸殻受け部３から側部３１へと案内する。
【００４３】
吸殻回収装置は、通常、エンドレスチェーン２が走行して吸殻を回収している場合には、可動スプロケット１１がエンドレスチェーン２を図４の矢印方向に付勢した状態で、エンドレスチェーン２が駆動スプロケット１０の回転（反時計回り）により走行する。したがって、可動スプロケット１１と一体となって移動する棒状部材１１６は、その先端部がリミットスイッチ１６と接触しない状態である。
【００４４】
そして、エンドレスチェーン２に（たとえば図２のＸ地点に）異物が挟まり込んで、エンドレスチェーン２の走行がロックされた状態となっても、駆動スプロケット１０はモータＭにより反時計回りに回転し続ける。そのため、エンドレスチェーン２は、駆動スプロケット１０により手繰り寄せられる。その結果、可動スプロケット１０のスプリング１３により付勢されていたエンドレスチェーン２は、スプリング１３の付勢力に抗して、可動スプロケット１１を図５の矢印方向に押し戻す。付勢力に抗して押し戻された可動スプロケット１０は、ガイド部材１１１に案内され、棒状部材１１６の先端方向へ移動する。そして、棒状部材１１６の先端がリミットスイッチ１６と接触すると、リミットスイッチ１６が作動し、モータＭの回転を停止させる。したがって、エンドレスチェーン２の走行は停止する。
【００４５】
（実施例２）
実施例２の吸殻回収装置について、図６を用いて説明する。
【００４６】
本実施例の吸殻回収装置は、実施例１の吸殻回収装置において、駆動スプロケット１０、および、可動スプロケット１１とリミットスイッチ１６の配置を変更したものである。
【００４７】
本実施例の吸殻回収装置では、可動スプロケット１１は、駆動スプロケット１０と第一固定スプロケット１２（図６に図示せず）との間に位置する。そして、可動スプロケット１１の移動方向が天板３３と平行となるように設置した。
【００４８】
また、本実施例では、駆動スプロケット１０は、時計回りに駆動される。すなわち、エンドレスチェーン２は、時計回りに走行する。そのため、吸殻受け部３の底面にたまった吸殻などのゴミは、台座３の側部３２側へと移送される。したがって、本実施例においては、回収された吸殻を収容する水槽４を側部３２側に設けた。
【００４９】
本発明の吸殻回収装置において、走行制御部１は、吸殻受け部３の内部に設置することが可能である。そのため、可動スプロケット１１やリミットスイッチ１６の設置場所を新たに設ける必要がない。
【図面の簡単な説明】
【００５０】
【図１】実施例１の吸殻回収装置の斜視図である。
【図２】実施例１の吸殻回収装置の断面図を模式的に示した図である。
【図３】実施例１の吸殻回収装置の断面図であって、図２のＹ−Ｙ’での断面図である。
【図４】実施例１の吸殻回収装置の部分拡大図であって、走行停止手段の平面図である。
【図５】実施例１の吸殻回収装置の部分拡大図であって、走行停止手段が作動した状態を示す図である。
【図６】実施例２の吸殻回収装置の部分拡大図であって、走行停止手段の平面図である。
【符号の説明】
【００５１】
１０：駆動スプロケット
１１：可動スプロケット
１２，１２’：固定スプロケット
１３：スプリング（付勢手段）
１６：リミットスイッチ（走行停止手段）
２：エンドレスチェーン
２２：捕集板（吸殻捕集部材）
３：吸殻受け部
３０：台座
３３：天板
４：水槽（吸殻収容手段）
Ｐ：パチンコ台
Ａ：灰皿（投入口）
Ｃ：吸殻
【図１】
2005137695.tif 000003
【図２】
2005137695.tif 000004
【図３】
2005137695.tif 000005
【図４】
2005137695.tif 000006
【図５】
2005137695.tif 000007
【図６】
2005137695.tif 000008